(57)【要約】【課題】本発明は、受動光ネットワークシステムにおけるＩＰパケットのサービス品質を制御する方法とシステムを提供する。【解決手段】受動光ネットワークシステムにおけるＯＬＴにおいて、受動光ネットワーク（ＰＯＮ）システムは、光分配ネットワーク（ＯＤＮ）と、光伝送路終端装置（ＯＬＴ）と、光回線終端装置（ＯＮＵ）とを備え、前記光伝送路終端装置は処理ユニットを備え、前記処理ユニットは、受信したデータのＩＰ層情報に応じてＰＯＮ層のＱｏＳ、すなわち優先度を決め、前記データにＬＬＩＤを割り当てることを特徴とする。これにより、データのＩＰ層情報に基づき、データに対してネットワーク層のサービス品質から物理層のサービス品質にマッピングし、ＰＯＮシステムのＩＰデータストリームのサービス品質制御を行うことができ、ＩＰデータストリームの受動光ネットワークシステムにおける転送時の品質を確保することが可能になる。【選択図】図２
2007274694.tif 000002
【特許請求の範囲】
【請求項１】
光分配ネットワーク（ＯＤＮ）と、光伝送路終端装置（ＯＬＴ）と、少なくとも１つの光回線終端装置（ＯＮＵ）とを備えた受動光ネットワーク（ＰＯＮ）システムにおける光伝送路終端装置であって、
前記光伝送路終端装置は、受信したデータのＩＰ層情報に応じてＰＯＮ層のＱｏＳ、すなわち優先度を決め、前記データにＬＩＮＫ  ＩＤを割り当てる処理ユニットを少なくとも備えることを特徴とする、受動光ネットワークシステムにおける光伝送路終端装置。
【請求項２】
請求項１に記載の受動光ネットワークシステムにおける光伝送路終端装置において、前記ＩＰ層情報は受信アドレスであることを特徴とする、受動光ネットワークシステムにおける光伝送路終端装置。
【請求項３】
請求項１に記載の受動光ネットワークシステムにおける光伝送路終端装置において、前記ＩＰ層情報はＩＰ層のＱｏＳであることを特徴とする、受動光ネットワークシステムにおける光伝送路終端装置。
【請求項４】
請求項１に記載の受動光ネットワークシステムにおける光伝送路終端装置において、前記ＩＰ層情報は受信アドレスおよびＩＰ層のＱｏＳであることを特徴とする、受動光ネットワークシステムにおける光伝送路終端装置。
【請求項５】
請求項２に記載の受動光ネットワークシステムにおける光伝送路終端装置において、前記受信アドレスはマルチキャストグループアドレスであることを特徴とする、受動光ネットワークシステムにおける光伝送路終端装置。
【請求項６】
請求項１に記載の受動光ネットワークシステムにおける光伝送路終端装置において、前記光伝送路終端装置は、
前記処理ユニットによりＬＩＮＫ  ＩＤが割り当てられたデータを受信し、ＬＩＮＫ  ＩＤに応じて優先度制御を行うとともに、前記データを光分配ネットワークに送信するＯＤＮインターフェースをさらに備えることを特徴とする、受動光ネットワークシステムにおける光伝送路終端装置。
【請求項７】
請求項１に記載の受動光ネットワークシステムにおける光伝送路終端装置において、前記処理ユニットは、
受信したデータのＩＰメッセージヘッダを分析し、前記ＩＰメッセージヘッダ中の受信アドレスおよび／またはＩＰ層のＱｏＳをＩＰ層情報として抽出するＩＰ層分析モジュールと、
抽出されたＩＰ層情報に応じて、当該データに優先度付けＬＩＮＫ  ＩＤを割り当てるＬＩＮＫ  ＩＤ割当モジュールとを備えることを特徴とする、受動光ネットワークシステムにおける光伝送路終端装置。
【請求項８】
請求項１に記載の受動光ネットワークシステムにおける光伝送路終端装置において、前記処理ユニットは、
受信したデータのＩＧＭＰメッセージをスヌーピングし、前記ＩＧＭＰメッセージ中のマルチキャストグループアドレスをＩＰ層情報として抽出するＩＧＭＰスヌーピングモジュールと、
抽出されたＩＰ層情報に応じて、当該データに優先度付けＬＩＮＫ  ＩＤを割り当てるＬＩＮＫ  ＩＤ割当モジュールとを備えることを特徴とする、受動光ネットワークシステムにおける光伝送路終端装置。
【請求項９】
請求項８に記載の受動光ネットワークシステムにおける光伝送路終端装置において、前記処理ユニットは、さらに
受信したデータのＩＰメッセージヘッダを分析し、受信したデータがマルチキャストデータである場合、ＩＰメッセージヘッダ中のＩＰ層のＱｏＳをＩＰ層情報として抽出するＩＰ層分析モジュールを備えることを特徴とする、受動光ネットワークシステムにおける光伝送路終端装置。
【請求項１０】
請求項１に記載の受動光ネットワークシステムにおける光伝送路終端装置において、さらに、受信したデータの前記ＩＰ層情報と、ＬＩＮＫ  ＩＤおよびＰＯＮ層のＱｏＳが関連付けて格納されたＩＰ層情報−ＬＩＮＫ  ＩＤテーブルを備えることを特徴とする、受動光ネットワークシステムにおける光伝送路終端装置。
【請求項１１】
光分配ネットワーク（ＯＤＮ）と、少なくとも１つの光回線終端装置（ＯＮＵ）とを備えた受動光ネットワーク（ＰＯＮ）システムにおける光伝送路終端装置（ＯＬＴ）であって、
前記光伝送路終端装置は、メモリと、ＩＰパケットを受信する業務インターフェースと、前記ＩＰパケットに送信先のＯＮＵを示すＬＩＮＫ  ＩＤを付加してＰＯＮフレームを生成する処理ユニットと、前記ＰＯＮフレームを送信するＯＤＮインターフェースと、を備え、
前記メモリは、ＩＰ層情報と、ＰＯＮフレームの転送優先度、すなわちＱｏＳおよびＬＩＮＫ  ＩＤとの関連性を示すテーブルと、を有し、
前記処理ユニットは、受信したＩＰパケットのヘッダ情報を検知し、前記ヘッダ情報と前記テーブルに応じて、前記ＩＰパケットに対してＰＯＮフレームの転送優先度とＬＩＮＫ  ＩＤを決め、前記ＬＩＮＫ  ＩＤを付加してＰＯＮフレームを生成し、
前記ＯＤＮインターフェースは、前記ＰＯＮフレームのＬＩＮＫ  ＩＤに対応する転送優先度に応じて前記ＰＯＮフレームを送信することを特徴とする、受動光ネットワーク（ＰＯＮ）システムにおける光伝送路終端装置（ＯＬＴ）。
【請求項１２】
光分配ネットワーク（ＯＤＮ）と、光伝送路終端装置（ＯＬＴ）と、少なくとも１つの光回線終端装置（ＯＮＵ）とを備えた受動光ネットワーク（ＰＯＮ）システムにおけるＩＰパケットのサービス品質を制御する方法であって、
前記光伝送路終端装置において、受信したデータのＩＰ層情報に応じてＰＯＮ層のＱｏＳ、すなわち優先度を決め、前記データにＬＩＮＫ  ＩＤを割り当てるステップａを含むことを特徴とする、方法。
【請求項１３】
請求項１２に記載の受動光ネットワークシステムにおけるＩＰパケットのサービス品質を制御する方法において、前記ＩＰ層情報は受信アドレスおよび／またはＩＰ層のＱｏＳであることを特徴とする、方法。
【請求項１４】
請求項１３に記載の受動光ネットワークシステムにおけるＩＰパケットのサービス品質を制御する方法において、前記受信アドレスはマルチキャストグループアドレスであることを特徴とする、方法。
【請求項１５】
請求項１２に記載の受動光ネットワークシステムにおけるＩＰパケットのサービス品質を制御する方法において、
ＬＩＮＫ  ＩＤに応じて優先度制御を行うとともに、前記データを光回線終端装置に送信するステップｂをさらに含むことを特徴とする、方法。
【請求項１６】
請求項１２に記載の受動光ネットワークシステムにおけるＩＰパケットのサービス品質を制御する方法において、ステップａは、
受信したデータのＩＰメッセージヘッダを分析し、前記ＩＰメッセージヘッダ中の受信アドレスおよび／またはＩＰ層のＱｏＳをＩＰ層情報として抽出するＩＰ層分析ステップと、
抽出されたＩＰ層情報に応じて、当該データに優先度付けＬＩＮＫ  ＩＤを割り当てるＬＩＮＫ  ＩＤ割当ステップとを含むことを特徴とする、方法。
【請求項１７】
請求項１２に記載の受動光ネットワークシステムにおけるＩＰパケットのサービス品質を制御する方法において、ステップａは、
受信したデータのＩＧＭＰメッセージをスヌーピングし、前記ＩＧＭＰメッセージ中のマルチキャストグループアドレスをＩＰ層情報として抽出するＩＧＭＰスヌーピングステップと、
抽出されたＩＰ層情報に応じて、前記データに優先度付けＬＩＮＫ  ＩＤを割り当てるＬＩＮＫ  ＩＤ割当ステップとを含むことを特徴とする、方法。
【請求項１８】
請求項１７に記載の受動光ネットワークシステムにおけるＩＰパケットのサービス品質を制御する方法において、ステップａは、
受信したデータのＩＰメッセージヘッダを分析し、受信したデータがマルチキャストデータである場合、ＩＰメッセージヘッダ中のＩＰ層のＱｏＳをＩＰ層情報として抽出するＩＰ層分析ステップをさらに含むことを特徴とする、方法。
【請求項１９】
請求項１２に記載の受動光ネットワークシステムにおけるＩＰパケットのサービス品質を制御する方法において、
受信したデータの前記ＩＰ層情報と、ＬＩＮＫ  ＩＤおよびＰＯＮ層のＱｏＳとを関連付けて格納するステップをさらに含むことを特徴とする、方法。
【請求項２０】
光分配ネットワーク（ＯＤＮ）と、光伝送路終端装置（ＯＬＴ）と、少なくとも１つの光回線終端装置（ＯＮＵ）とを備えた受動光ネットワークシステムであって、
前記光伝送路終端装置は、受信したデータのＩＰ層情報に応じてＰＯＮ層のＱｏＳ、すなわち優先度を決め、前記データに対してＬＩＮＫ  ＩＤを割り当てる処理ユニットを少なくとも備えることを特徴とする、受動光ネットワークシステム。
【請求項２１】
請求項１９に記載の受動光ネットワークシステムにおいて、前記光伝送路終端装置は、前記処理ユニットによりＬＩＮＫ  ＩＤが割り当てられたデータを受信し、ＬＩＮＫ  ＩＤに応じて優先度制御を行うとともに、前記データを光分配ネットワークに送信するＯＤＮインターフェースをさらに備えることを特徴とする、受動光ネットワークシステム。
【発明の詳細な説明】
【技術分野】
【０００１】
本発明は、受動光ネットワークシステムにおけるＩＰパケットのサービス品質を制御する方法とシステムに関し、ＩＰパケットの受動光ネットワークシステムにおける転送のサービス品質を確保することを可能としたものに関する。
【背景技術】
【０００２】
現代の情報化社会において、受動光ネットワーク（ＰＯＮ：Ｐａｓｓｉｖｅ  Ｏｐｔｉｃａｌ  Ｎｅｔｗｏｒｋ）システムは、光ファイバーアクセス技術のｘまでのファイバー化（ＦＴＴｘ：ｆｉｂｅｒ  ｔｏ  ｔｈｅ  ｘ）の最も先端的な技術である。通常、受動光ネットワーク（ＰＯＮ）システムは、光伝送路終端装置（ＯＬＴ：Ｏｐｔｉｃａｌ  Ｌｉｎｅ  Ｔｅｒｍｉｎａｌ）、光回線終端装置（ＯＮＵ：Ｏｐｔｉｃａｌ  Ｎｅｔｗｏｒｋ  Ｕｎｉｔ）および光分配ネットワーク（ＯＤＮ：Ｏｐｔｉｃａｌ  Ｄｉｓｔｒｉｂｕｔｉｏｎ  Ｎｅｔｗｏｒｋ）を含み、エンドユーザにブロードバンドアクセス方法を提供しており、現在のその他のブロードバンドアクセス技術に比べ、多くの利点がある。最も顕著な利点は、受動光ネットワークシステム、例えば、ＧＰＯＮシステムがエンドユーザにギガビットレベルのアクセス速度を提供することが可能であり、エンドユーザのブロードバンドネットワーク応用によりよく対応できる点にある。
【０００３】
ＩＰ（Ｉｎｔｅｒｎｅｔ  Ｐｒｏｔｏｃｏｌ）ネットワークは、音声とデータサービスを提供するとともに、例えば「トリプルプレイ（ｔｒｉｐｌｅ  ｐｌａｙ）」と言われる業務など、ビデオサービスをますます多く提供することになっている。トリプルプレイ業務において、ネットワークテレビ（ＩＰＴＶ：Ｉｎｔｅｒｎｅｔ  Ｐｒｏｔｏｃｏｌ  Ｔｅｌｅｖｉｓｉｏｎ）は最も重要なブロードバンド応用の一つである。
【０００４】
ＩＰＴＶは、コアネットワークとアクセスネットワークにおいてともにより大きな帯域を必要とする。通常、ＰＯＮシステムにおいてマルチキャスト技術により帯域リソースを有効に利用することになっている。
【０００５】
ビデオ業務は、遅延、ジッタ、パケットロスに非常に敏感であるので、サービス品質（ＱｏＳ：ｑｕａｌｉｔｙ  ｏｆ  ｓｅｒｖｉｃｅ）に対する制御がＩＰＴＶ業務を提供する重要な技術である。
【０００６】
図１は、従来技術においてＩＰパケットに対してＱｏＳを確保する転送を示した概略図であり、プロトコールスタックの視点から従来技術におけるＱｏＳ制御状況を分析している。図１にＩＰＴＶサーバー、マルチキャストルーター、ＯＬＴ、ＯＮＵ、テレビ（ＴＶ）のプロトコールスタックを示している。
【０００７】
図１に示しているように、ＩＰＴＶサーバーからテレビへのＱｏＳ転送を実現するために、ＩＰ層においてＱｏＳ制御を行う。ＩＰＴＶサーバー、マルチキャストルーターおよびテレビはいずれもＩＰ層プロトコールを含むので、ＩＰＴＶサーバーノード、マルチキャストルーターノード、テレビノードにおいていずれもＩＰ層に基づくＱｏＳの確保を提供することができる。しかしながら、ＯＬＴノードとＯＮＵノードはプロトコールスタック上でＩＰ層プロトコールを含まない、つまり、ＩＰ層のＱｏＳ制御に対応しないため、ＯＬＴノードとＯＮＵノードが物理層プロトコールスタック上で光データに基づくＱｏＳ制御に対応しているにもかかわらず、データがＯＬＴノードとＯＮＵノードを通るときに、衝突が発生する場合には、データのＱｏＳ転送を確保することができない。
【０００８】
上述したように、システム全体においてＩＰパケットに対してＩＰ層（ＯＳＩモデルの第３層）でＱｏＳを確保した転送を行うことを必要とするものの、ＰＯＮシステムのＯＬＴノードとＯＮＵノードにおいて、物理層（ＯＳＩモデルの第１層）プロトコールスタック上でしか光データに基づくＱｏＳ制御ができないため、システム全体にとって、ＰＯＮシステムにおいてＩＰパケットのＱｏＳ制御を行うことができない問題点があった。
【０００９】
特許文献１（日本）特開２００３−１３４１５６に、ＩＰパケットの送信元アドレス、送信先アドレス、送信元ポート番号、プロトコールなどのＩＰ層の情報に応じた優先度設定を行い、特定のユーザ端末からのパケットの優先処理を行う技術が開示されているが、特許文献１によれば、光アクセスネットワーク（例えば、ＰＯＮ）の部分にはＩＰ層情報に応じた優先度制御ができない。言い換えれば、特許文献１でもＰＯＮシステムにおいてＩＰパケットのＱｏＳ制御ができない問題点が解決されていない。
【発明の開示】
【発明が解決しようとする課題】
【００１０】
本発明は、上述の問題点に鑑みてなされたものであり、光伝送路終端装置、当該光伝送路終端装置を有する受動光ネットワークシステム、および受動光ネットワークシステムにおけるＩＰパケットのサービス品質を制御する方法を提供することを目的とし、それによって、データに対してネットワーク層のサービス品質から物理層のサービス品質にマッピングし、受動光ネットワークシステムにおける転送のサービス品質の確保を可能にする。
【課題を解決するための手段】
【００１１】
上記の発明目的を実現するために、本発明の受動光ネットワークシステムにおける光伝送路終端装置において、当該受動光ネットワーク（ＰＯＮ）システムは、光分配ネットワーク（ＯＤＮ）と、前記光伝送路終端装置（ＯＬＴ）と、少なくとも１つの光回線終端装置（ＯＮＵ）とを備え、前記光伝送路終端装置は、受信したデータのＩＰ層情報に応じてＰＯＮ層のＱｏＳ、すなわち優先度を決め、前記データにＬＩＮＫ  ＩＤを割り当てる少なくとも処理ユニットを備えることを特徴とする。前記ＩＰ層情報は受信アドレスおよび／またはＩＰ層のＱｏＳであり、また、前記受信アドレスはマルチキャストグループアドレスである。
【００１２】
また、前記受動光ネットワークシステムにおける光伝送路終端装置において、前記光伝送路終端装置は、外部ネットワークまたはサーバーとの間におけるデータ送受信に用いる業務インターフェースと、前記処理ユニットによりＬＩＮＫ  ＩＤが割り当てられたデータを受信し、ＬＩＮＫ  ＩＤに応じて優先度制御を行うとともに、前記データを光分配ネットワークに送信するＯＤＮインターフェースとをさらに備えている。
【００１３】
また、前記受動光ネットワークシステムにおける光伝送路終端装置において、前記処理ユニットは、受信したデータのＩＰメッセージヘッダを分析し、前記ＩＰメッセージヘッダ中の受信アドレスおよび／またはＩＰ層のＱｏＳをＩＰ層情報として抽出し、受信したデータがマルチキャストデータである場合、ＩＰメッセージヘッダ中のＩＰ層のＱｏＳをＩＰ層情報として抽出するＩＰ層分析モジュールと、抽出されたＩＰ層情報に応じて、当該データに優先度付けＬＩＮＫ  ＩＤを割り当てるＬＩＮＫ  ＩＤ割当モジュールと、受信したデータのＩＧＭＰメッセージをスヌーピングし、前記ＩＧＭＰメッセージ中のマルチキャストグループアドレスをＩＰ層情報として抽出するＩＧＭＰスヌーピングモジュールと、抽出されたＩＰ層情報に応じて、前記データに優先度付けＬＩＮＫ  ＩＤを割り当てるＬＩＮＫ  ＩＤ割当モジュールの適当な組合せをさらに備えている。
【００１４】
また、前記受動光ネットワークシステムにおける光伝送路終端装置において、受信したデータの前記ＩＰ層情報と、ＬＩＮＫ  ＩＤおよびＰＯＮ層のＱｏＳが関連付けて格納されたＩＰ層情報−ＬＩＮＫ  ＩＤテーブルをさらに備えている。
【００１５】
本発明の他方の光分配ネットワーク（ＯＤＮ）と少なくとも１つの光回線終端装置ＯＮＵを備えた受動光ネットワーク（ＰＯＮ）システムにおける光伝送路終端装置（ＯＬＴ）は、メモリと、ＩＰパケットを受信する業務インターフェースと、前記ＩＰパケットに送信先ＯＮＵを示すＬＩＮＫ  ＩＤを付加してＰＯＮフレームを生成する処理ユニットと、前記ＰＯＮフレームを送信するＯＤＮインターフェースとを備え、前記メモリは、ＩＰ層情報と、ＰＯＮフレームの転送優先度、すなわちＱｏＳおよびＬＩＮＫ  ＩＤとの関連性を示すテーブルを有し、前記処理ユニットは、受信したＩＰパケットのヘッダ情報を検知し、前記ヘッダ情報と前記テーブルに応じて、前記ＩＰパケットに対してＰＯＮフレームの転送優先度とＬＩＮＫ  ＩＤを決め、前記ＬＩＮＫ  ＩＤを付加してＰＯＮフレームを生成し、前記ＯＤＮインターフェースは、前記ＰＯＮフレームのＬＩＮＫ  ＩＤに対応する転送優先度に応じて、前記ＰＯＮフレームを送信することを特徴とする。
【００１６】
上記の発明目的を実現するために、本発明の受動光ネットワークシステムにおけるＩＰパケットのサービス品質を制御する方法において、当該受動光ネットワーク（ＰＯＮ）システムは、光分配ネットワーク（ＯＤＮ）と、前記光伝送路終端装置（ＯＬＴ）と、少なくとも１つの光回線終端装置（ＯＮＵ）とを備え、前記光伝送路終端装置において、受信したデータのＩＰ層情報に応じてＰＯＮ層のＱｏＳ、すなわち優先度を決め、前記データにＬＩＮＫ  ＩＤを割り当てるステップａを含むことを特徴とする。前記ＩＰ層情報は受信アドレスおよび／またはＩＰ層のＱｏＳであり、また、前記受信アドレスはマルチキャストグループアドレスである。
【００１７】
また、前記受動光ネットワークシステムにおけるＩＰパケットのサービス品質を制御する方法において、上述した受動光ネットワークシステムにおける光伝送路終端装置の構成要素に対応するステップをさらに含む。
【００１８】
上記の発明目的を実現するために、本発明の受動光ネットワークシステムは、光分配ネットワーク（ＯＤＮ）と、光伝送路終端装置（ＯＬＴ）と、少なくとも１つの光回線終端装置（ＯＮＵ）とを備え、前記光伝送路終端装置は、受信したデータのＩＰ層情報に応じてＰＯＮ層のＱｏＳ、すなわち優先度を決め、前記データにＬＩＮＫ  ＩＤを割り当てる処理ユニットを少なくとも備えることを特徴とする。
【００１９】
また、前記受動光ネットワークにおいて、上述した受動光ネットワークシステムにおける光伝送路終端装置の構成要素に対応する構成要素をさらに備えている。
【００２０】
本発明の光伝送路終端装置と、前記光伝送路終端装置を有する受動光ネットワークシステムと、受動光ネットワークシステムにおけるＩＰパケットのサービス品質を制御する方法は、データのＩＰ層情報に基づき、データに対してネットワーク層のサービス品質から物理層のサービス品質にマッピングし、ＰＯＮシステムにおいてＩＰデータストリームのサービス品質制御を行うことができるので、ＩＰデータストリームの受動光ネットワークシステムにおける転送時の品質確保を可能にしたなど、顕著な効果を有している。
【発明を実施するための最良の形態】
【００２１】
以下、図面を参照しながら、本発明の実施形態の詳細について説明する。
（実施形態１）
図２は本発明の実施形態１のＰＯＮシステムの構成ブロック図である。図２に示した実施形態１は、通信運営者のネットワークにおいて、通信運営者が業務優先度を設定していないが、ＩＳＰが業務優先度を設定した場合に適用する。
【００２２】
図２に示しているように、システム全体は、ＩＰＴＶサーバー１０と、受動光ネットワーク（ＰＯＮ）システムと、それらの間に設置されたネットワークとを含む。前記ＰＯＮシステムは、光伝送路終端装置（ＯＬＴ）１０１と、光回線終端装置（ＯＮＵ）２０と、光分配ネットワーク（ＯＤＮ）とする光分岐器１０９を含む。
【００２３】
ＩＰＴＶサーバー１０は、ネットワークを介してＰＯＮシステムのエンドユーザにＩＰＴＶサービスを提供する。エンドユーザは、ＯＮＵ  ２０、光分岐器１０９、光伝送路終端装置１０１、ネットワークを経由してＩＰＴＶサーバー１０にデータを要求する。ＩＰＴＶサーバー１０は、ネットワーク、光伝送路終端装置１０１、光分岐器１０９、ＯＮＵ  ２０を経由してデータをエンドユーザ側に送信する。ユーザ側のテレビ端末（ＴＶ）３０は、受信したデータをテレビ番組に変換してエンドユーザに提供する。
【００２４】
以下、ＥＰＯＮを例として、ＰＯＮシステムにおいて転送されるデータ（光データまたはＰＯＮフレームともいう。）のフレーム構造について説明する。
【００２５】
図３は、ＰＯＮにおけるイーサネット（登録商標）パケット組み立てのＩＰパケットのフレーム構造を示した概略図である。図３に示しているように、８０２．３ＭＡＣフレームのパケットは、ＬＬＩＤ（ロジックリンク識別子：Ｌｏｇｉｃａｌ  ｌｉｎｋ  Ｉｄｅｎｔｉｆｉｅｒ）、ＩＰメッセージヘッダおよびＩＧＭＰメッセージを含む。ＩＰメッセージヘッダは、ＩＰ層のＱｏＳとするＴＯＳと、受信アドレスとする送信先アドレスとを有し、ＩＧＭＰメッセージはタイプとグループアドレスを含む。
【００２６】
次に、図２に戻って、図２に示しているＰＯＮシステムにおけるＯＬＴ１０１の構成を説明する。
【００２７】
まず、ＯＬＴ１０１は、業務インターフェース１０３と、処理ユニット１０２と、ＯＤＮインターフェース１０４と、ランダムアクセスメモリ（ＲＡＭ）１０６と、マイクロプロセッサー１０５とを含む。
【００２８】
業務インターフェース１０３は、外部のネットワークと接続し、ネットワークとの間の通信やデータ送受信に用いられる。
【００２９】
処理ユニット１０２は、業務インターフェース１０３とＯＤＮインターフェース１０４からのデータを処理し、業務インターフェース１０３を介して受信したデータのＩＰ層情報に応じてＰＯＮ層のＱｏＳ、すなわち優先度を決め、受信したデータに送信先ＯＮＵを示すＬＬＩＤを割り当てる。処理ユニット１０２は、ＩＰ層分析モジュール１１０とＬＬＩＤ割当モジュール１１１を含む。
【００３０】
処理ユニット１０２のＩＰ層分析モジュール１１０は、受信したデータのＩＰメッセージヘッダを分析し、ＩＰメッセージヘッダからデータのＩＰ層情報を抽出することに用いられる。例えば、図３に示している光データのＩＰヘッダから、「ＴＯＳ」、「送信先アドレス」をＩＰ層情報として抽出する。
【００３１】
処理ユニット１０２のＬＬＩＤ割当モジュール１１１は、抽出された「ＴＯＳ」、「送信先アドレス」などのＩＰ層情報に応じて、当該パケットに光優先度付けＬＬＩＤを割り当てる。
【００３２】
ＯＤＮインターフェース１０４は、ＯＮＵ  ２０からの光データを受信し、処理ユニット１０２により処理されたデータ、すなわちＬＬＩＤが付加されたＰＯＮフレームを、ＰＯＮフレームのＬＬＩＤに対応する転送優先度に応じてＯＮＵ  ２０に送信し、これによって光優先度の制御を行う。
【００３３】
ランダムアクセスメモリ１０６にＯＬＴ  １０１の稼動中のデータが保存されている。
【００３４】
マイクロプロセッサー１０５は、例えば、業務インターフェース１０３、処理ユニット１０２、ＯＤＮインターフェース１０４、ランダムアクセスメモリ１０６などの各ユニットモジュールを協動させるように、光伝送路終端装置の各ユニットモジュールの動作制御に用いられる。
【００３５】
上述したように、ＰＯＮシステムにおいて、ＯＬＴ  １０１が業務インターフェース１０３を介して上層ネットワークおよびＩＰＴＶサーバー１０から送信されるデータを受信し、処理ユニット１０２のＩＰ層分析モジュール１１０がＴＯＳ値および／または送信先アドレスを抽出するなど、ＩＰ層情報を抽出するように、データが転送される。ＬＬＩＤ割当モジュール１１１は、ＱｏＳパラメータによりメッセージのＬＬＩＤと対応のＬＬＩＤ優先度を設定し、その後、処理されたデータをＯＤＮインターフェース１０４に送信する。このようにして、データのＩＰ層情報に基づき、データに対してネットワーク層のサービス品質から光転送層（物理層）のサービス品質にマッピングし、ＰＯＮシステムにおいてＩＰデータストリームのサービス品質制御を行うことができるので、ＩＰデータストリームのＰＯＮシステムにおける転送の品質を確保している。
【００３６】
（実施形態１の変形例）
以上、本発明の実施形態１のＯＬＴ  １０１の例を説明したが、本発明はこれに限らず、当業者は具体的な状況によって変更を行うことができる。以下、実施形態１の１つの変形例について説明する。
【００３７】
本発明の実施形態１のＯＬＴ  １０１のランダムアクセスメモリ１０６にＯＬＴ  １０１の稼動中のデータが保存されているが、当該ランダムアクセスメモリ１０６には、例えば、ＩＰ層情報−ＬＬＩＤテーブルを格納しても良い。ＩＰ層情報−ＬＬＩＤテーブルには、受信したデータのＩＰ層情報、および当該ＩＰ層情報に応じてデータに割り当てた対応のＬＬＩＤとＰＯＮ層のＱｏＳが関連付けて格納されている。図４、図５、図６に当該ＩＰ層情報−ＬＬＩＤテーブルの例を示している。
【００３８】
図４は、本発明の実施形態１の変形例の、図２に示しているＯＬＴ  １０１のランダムアクセスメモリ１０６に記憶された、ＴｏＳ値に基づいて行われたＱｏＳ制御のＩＰ層情報−ＬＬＩＤテーブルを示した図である。ＩＰ層情報−ＬＬＩＤテーブルに「ＴｏＳ値」、「ＬＬＩＤ」、「ＬＬＩＤのＱｏＳ」の３項目が含まれている。図４に示しているように、ＯＬＴ  １０１で受信したデータの「ＴｏＳ値」が「高」である場合、ＬＬＩＤ割当モジュール１１１は、予め決められた規則により当該データにＬＬＩＤとして「２１」を割り当て、ＬＬＩＤ「２１」の優先度を「高」と決める。
【００３９】
図５は、本発明の実施形態１の変形例の、図２に示しているＯＬＴ  １０１のランダムアクセスメモリ１０６に記憶された、送信先アドレスに基づいて行われたＱｏＳ制御のＩＰ層情報−ＬＬＩＤテーブルを示した図である。ＩＰ層情報−ＬＬＩＤテーブルに「送信先アドレス」、「ＬＬＩＤ」、「ＬＬＩＤのＱｏＳ」の３項目が含まれている。図５に示しているように、ＯＬＴ  １０１で受信したデータの「送信先アドレス」、すなわち受信アドレスが「１９２．１６８．０．１」である場合、ＬＬＩＤ割当モジュール１１１は、予め決められた規則により当該データにＬＬＩＤとして「１０」を割り当て、当該ＬＬＩＤ「１０」の優先度を「高」と決める。
【００４０】
図６は、本発明の実施形態１の変形例の、図２に示しているＯＬＴ  １０１のランダムアクセスメモリ１０６に記憶された、送信先アドレスとＴｏＳ値に基づいて行われたＱｏＳ制御のＩＰ層情報−ＬＬＩＤテーブルを示した図である。ＩＰ層情報−ＬＬＩＤテーブルに「送信先アドレス」、「ＴｏＳ値」、「ＬＬＩＤ」、「ＬＬＩＤのＱｏＳ」の４項目が含まれている。図６に示しているように、ＯＬＴ  １０１で受信したデータの「送信先アドレス」が「１２４．１．２．３」であり、かつ、ＴｏＳ値が「高」である場合、ＬＬＩＤ割当モジュール１１１は、予め決められた規則により当該データにＬＬＩＤとして「３」を割り当て、当該ＬＬＩＤ「３」の優先度を「高」と決める。
【００４１】
もちろん、ＬＬＩＤを割り当て、ＬＬＩＤのＱｏＳを決める順序は、同時に行うことも可能であるように、状況によって変更しても良い。なお、当該予め決められた規則は、システム運営者により決められることができる。
【００４２】
（実施形態２）
図７は、本発明の実施形態２のＰＯＮシステムにおけるＯＬＴの構成ブロック図である。図７の実施例は、通信運営者のネットワークにおいて、ＩＳＰが業務優先度を設定していないが、通信運営者が業務優先度を設定した状況に適用する。図７と同様な構造に同一の部材番号が付けられているので、ここに詳しい説明を省略する。
【００４３】
図７に示しているように、ＯＬＴ  ２０１は、業務インターフェース１０３と、処理ユニット２０２と、ＯＤＮインターフェース２０４と、ランダムアクセスメモリ２０６と、マイクロプロセッサー１０５とを含む。
【００４４】
処理ユニット２０２は、業務インターフェース１０３とＯＤＮインターフェース２０４からのデータを処理し、業務インターフェース１０３を介して受信したデータ（ＩＰパケット）のＩＰ層情報に応じてＰＯＮ層のＱｏＳ、すなわち優先度を決め、受信したデータに送信先ＯＮＵを示すＬＬＩＤを割り当て、当該ＬＬＩＤをデータに付加してＰＯＮフレームを生成する。処理ユニット２０２は、ＩＧＭＰスヌーピングモジュール１１３とＬＬＩＤ割当モジュール１１１を含む。
【００４５】
ＩＧＭＰは、インターネットグループ管理プロトコールで、ＴＣＰ／ＩＰプロトコール群の１つのサブプロトコールであり、インターネットホストのマルチキャストへの参加を許容し、つまり、ＩＰホストが隣接のマルチキャストルーターへのグループ関係の報告に用いられるプロトコールである。ＩＧＭＰスヌーピングは、ＩＧＭＰ様式のメッセージのスヌーピングや、対応のＩＧＭＰ情報の抽出に用いられる。
【００４６】
処理ユニット２０２のＩＧＭＰスヌーピングモジュール１１３は、受信したデータをスヌーピングし、ＩＧＭＰメッセージからマルチキャストのグループアドレスをＩＰ層情報として抽出し、ランダムアクセスメモリ２０６に保存されているＩＰ層情報−ＬＬＩＤテーブルに書き込む。
【００４７】
処理ユニット２０２のＬＬＩＤ割当モジュール１１１は、抽出されたＩＰ層情報に応じて、データに光優先度付けＬＬＩＤを割り当ててＩＰ層情報−ＬＬＩＤテーブルに格納し、当該ＬＬＩＤにより対応のマルチキャストのデータをＯＤＮインターフェースに送信する。
【００４８】
ＯＤＮインターフェース２０４は、ＯＮＵからの光データを受信し、処理ユニット（１０２）により処理されたデータフレーム用の光データ、すなわちＬＬＩＤが付加されたＰＯＮフレームを、ＰＯＮフレームのＬＬＩＫ  ＩＤに対応する転送優先度に応じてＯＮＵ  ２０に送信し、これによって送信過程においてＬＬＩＤにより光優先度の制御（１１７）を行うことができる。キューに基づく優先度制御は、ＯＤＮインターフェースにおいて優先度制御を実現する方法の一つである。図７に示しているように、ＯＤＮインターフェース２０４において、それぞれのデータストリームを記憶するそれぞれのキューがあり、各キューの間に異なる優先度を設定することにより、ＱｏＳ制御を実現する。
【００４９】
ランダムアクセスメモリ２０６は、ＯＬＴの稼動中のデータを保存する。当該ランダムアクセスメモリ２０６に１つのＩＰ層情報−ＬＬＩＤテーブルが保存されている。当該ＩＰ層情報−ＬＬＩＤテーブルには、受信したデータのマルチキャストのグループアドレス、当該グループアドレスに対応するＬＬＩＤ値およびＱｏＳパラメータが関連付けて格納され、マルチキャストデータストリームにＬＬＩＤとＬＬＩＤのＱｏＳ優先度の割当に用いられる。図８に当該ＩＰ層情報−ＬＬＩＤテーブルの例を示している。
【００５０】
図８は、本発明の実施形態２のＯＬＴ  ２０１のランダムアクセスメモリ２０６に保存された、マルチキャストのグループアドレス（「マルチキャストグループアドレス」と略称する。）値に基づいて行われたＱｏＳ制御のＩＰ層情報−ＬＬＩＤテーブルを示した図である。マルチキャストＱｏＳ−ＬＬＩＤテーブルに「マルチキャストグループアドレス」、「ＬＬＩＤ」、「ＬＬＩＤのＱｏＳ」の３項目が含まれている。図８に示しているように、ＯＬＴ  ２０１のＩＧＭＰスヌーピングモジュール１１３でマルチキャストに属するデータのグループアドレスが「２２４．１．２．３」であるとスヌーピングしたとき、当該マルチキャストのグループアドレスを「マルチキャストグループアドレス」項に書き込む。その後、ＯＬＴ  ２０１のマルチキャストＬＬＩＤ割当モジュール１１１は、予め決められた規則により当該グループアドレスのＬＬＩＤのＱｏＳを「高」と決め、当該グループアドレスにＬＬＩＤとして「３３」を割り当てる。もちろん、ＬＬＩＤを割り当て、ＬＬＩＤのＱｏＳを決める順序は、同時に行うことも可能であるように、状況によって変更しても良い。なお、当該予め決められた規則は、システム運営者により決められることができる。
【００５１】
上述したように、元のマルチキャストパケットは、ＩＰ層においてＱｏＳパラメータが設定されていなくても、ＯＬＴ  ２０１はＰＯＮにおいてマルチキャストパケットのＱｏＳ転送を提供することもできる。ＯＬＴ  ２０１では、ＩＧＭＰスヌーピングモジュール１１３が図４に示しているＩＧＭＰメッセージをスヌーピングし、ＩＧＭＰメッセージからマルチキャストグループアドレス「２２４．１．２．３」を抽出すると、システムは運営者の規則により当該マルチキャストグループアドレスに、例えば「３３」とするＬＬＩＤを割り当て、それに合わせてＬＬＩＤ「３３」の優先度を「高」と決める。当該割当の記録は、ＯＬＴ  ２０１のランダムアクセスメモリ２０６のＩＰ層情報−ＬＬＩＤテーブルに格納される。業務インターフェース１０３を介して上層ネットワークおよびＩＰＴＶサーバー１０から送信されるマルチキャストパケットストリーム「２２４．１．２．３」を受信すると、ＬＬＩＤ「３３」付のマルチキャストパケット「２２４．１．２．３」をＯＤＮインターフェース２０４に送信し、ＰＯＮにおいて優先度「高」で転送することにより、当該マルチキャストデータの優先度を確保している。
【００５２】
（実施形態３）
図９は、本発明の実施形態３の直接マッピングとＰＯＮシステムにおけるＯＬＴの構成ブロック図である。図９の実施例は、通信運営者のネットワークにおいて、ＩＳＰが業務優先度を設定し、通信運営者も業務優先度を設定した状況に適用する。図２および図７と同様な構造に同一の部材番号が付けられているので、ここに詳しい説明を省略する。
【００５３】
図９に示しているように、当該ＯＬＴ  ３０１は、業務インターフェース１０３と、処理ユニット３０２と、ＯＤＮインターフェース２０４と、ランダムアクセスメモリ２０６と、マイクロプロセッサー１０５とを含む。
【００５４】
処理ユニット３０２は、業務インターフェース１０３とＯＤＮインターフェース２０４からのデータを処理し、業務インターフェース１０３を介して受信したデータ（ＩＰパケット）のＩＰ層情報に応じてＰＯＮ層のＱｏＳ、すなわち優先度を決め、受信したデータに送信先ＯＮＵを示すＬＬＩＤを割り当て、当該ＬＬＩＤをデータに付加してＰＯＮフレームを生成する。処理ユニット３０２は、ＩＧＭＰスヌーピングモジュール１１３、ＩＰ層分析モジュール１１０およびＬＬＩＤ割当モジュール１１１を含む。
【００５５】
処理ユニット３０２のＩＰ層分析モジュール１１０は、受信したデータのＩＰメッセージヘッダを分析し、ＩＰメッセージヘッダからデータのＩＰ層情報を抽出する。受信したデータがマルチキャストデータである場合、ＩＰメッセージヘッダからＩＰ層のＱｏＳをＩＰ層情報として抽出する。
【００５６】
処理ユニット３０２のＩＧＭＰスヌーピングモジュールは、受信したデータをスヌーピングし、ＩＧＭＰメッセージからＩＰ層情報としてマルチキャストのグループアドレスを抽出し、ランダムアクセスメモリ２０６に記憶されたＩＰ層情報−ＬＬＩＤテーブルに書き込む。
【００５７】
処理ユニット３０２のＬＬＩＤ割当モジュール１１１は、抽出されたＩＰ層情報に応じて、データに光優先度付けＬＬＩＤを割り当ててＩＰ層情報−ＬＬＩＤテーブルに格納し、当該ＬＬＩＤにより対応のマルチキャストのデータをＯＤＮインターフェースに送信する。
【００５８】
ランダムアクセスメモリ２０６は、ＯＬＴの稼動中のデータを保存する。ランダムアクセスメモリ２０６に１つのＩＰ層情報−ＬＬＩＤテーブルが記憶されている。図１０に当該ＩＰ層情報−ＬＬＩＤテーブルの例を示している。
【００５９】
図１０は、本発明の実施形態３のＯＬＴ  ３０１のランダムアクセスメモリ２０６に記憶された、マルチキャストグループアドレスとＴｏＳ値に基づいて行われたＱｏＳ制御のＩＰ層情報−ＬＬＩＤテーブルを示した図である。ＩＰ層情報−ＬＬＩＤテーブルに「マルチキャストグループアドレス」、「ＩＰ層ＱｏＳ」、「ＬＬＩＤ」、「ＬＬＩＤのＱｏＳ」の４項目が含まれている。図１０に示しているように、ＯＬＴ  ３０１のＩＧＭＰスヌーピングモジュール１１３でＩＧＭＰデータのグループアドレスが「２２４．１．２．３」であるとスヌーピングしたとき、当該マルチキャストのグループアドレスを「マルチキャストグループアドレス」項に書き込む。その後、ＩＰ層のＱｏＳが「高」である場合、ＯＬＴ  ３０１のマルチキャストＬＬＩＤ割当モジュール１１１は、予め決められた規則により当該グループアドレスに「３３」とするＬＬＩＤを割り当て、当該ＬＬＩＤ「３３」の優先度を「高」と決める。もちろん、ＬＬＩＤを割り当て、ＬＬＩＤのＱｏＳを決める順序は、同時に行うことも可能であるように、状況によって変更しても良い。なお、当該予め決められた規則は、システム運営者により決められることができる。図１０は、ＩＰ層情報−ＬＬＩＤテーブルの一つの例に過ぎない。ＯＬＴのマルチキャストＬＬＩＤのＬＬＩＤ割当とＬＬＩＤのＱｏＳ規則は、システム運営者により決められる。
【００６０】
上述したように、ＰＯＮシステムにおいてマルチキャストパケットのＱｏＳ転送を提供するために、ＯＬＴ  ３０１では、ＩＧＭＰスヌーピングモジュール１１３が図３に示しているＩＧＭＰメッセージをスヌーピングし、ＩＧＭＰメッセージからマルチキャストグループアドレス「２２４．１．２．３」を抽出すると、システムは、当該マルチキャストパケットのＩＰ層ＱｏＳが「高」と設定されるなど、運営者の規則により、当該マルチキャストグループアドレスに、例えば「３３」とするＬＬＩＤを割り当て、それに合わせてＬＬＩＤ「３３」の優先度を「高」と決める。ＯＬＴ  ３０１で業務インターフェース１０３を介して上層ネットワークおよびＩＰＴＶサーバー１０から送信されたマルチキャストパケットストリーム「２２４．１．２．３」を受信すると、マルチキャストパケットストリーム「２２４．１．２．３」をＯＤＮインターフェース２０４に送信し、ＰＯＮにおいて優先度「高」で転送する
【００６１】
（実施形態４）
以下、図１１を参照して、本発明の実施形態４のＰＯＮシステムにおいてＩＰパケットのサービス品質を制御する方法について説明する。
【００６２】
図１１は、本発明の実施形態４のＰＯＮシステムにおいてＩＰパケットのサービス品質を制御する方法のフロー図である。
【００６３】
図１１に示しているように、ＯＬＴは、業務インターフェースを介して外部ネットワークから送信されてきたＩＰパケットを受信し（ステップ５０１）、その後、受信したＩＰパケットがマルチキャストパケットであるかを判断する（ステップ５０２）。それがマルチキャストパケットである場合、当該ＩＰパケットのＩＰ層のＱｏＳパラメータをＩＰ層情報として抽出する（ステップ５０３）。ＯＬＴは、ＩＰ層のＱｏＳパラメータによりマルチキャストパケットにＬＬＩＤを割り当て（ステップ５０４）、マルチキャストパケットは割り当てられたＬＬＩＤの優先度に応じてＰＯＮにおいて転送される（ステップ５０５）。
【００６４】
図１１に示したＰＯＮシステムにおけるＩＰパケットのサービス品質を制御する方法は、受信したデータがマルチキャストパケットである場合の１つの例だけを考慮したが、本発明はこれに限らず、実施形態１〜３のＰＯＮシステムのＯＬＴおよび実施形態４のＰＯＮシステムにおけるＩＰパケットのサービス品質を制御する方法に基づき、様々な変化を行うことができる。
【００６５】
次に、図１２を参照して本発明のシステム全体におけるメッセージフローについて説明する。
【００６６】
図１２は、本発明のシステム全体のメッセージフローである。エンドユーザがテレビ番組を見たいときに、「ＩＰＴＶ要求」を発信し、当該要求がＰＯＮシステムを経由してＩＰＴＶサーバーに転送される。ＩＰＴＶサーバーは、ユーザにマルチキャストデータストリームであるテレビ番組のデータを送信する。ＯＬＴは、当該マルチキャストデータストリームを受信すると、当該マルチキャストデータストリームのマルチキャストグループアドレスを確認し、その後、当該マルチキャストデータストリームにＬＬＩＤおよび対応のＬＬＩＤのＱｏＳを割り当てる。このように、当該マルチキャストデータストリームのＰＯＮにおける転送のＱｏＳが確保されている。
【００６７】
以上、本発明の実施形態１〜４を説明したが、次に、図１３を参照して本発明の実施形態１〜４の方法を適用したＰＯＮシステムにおいてＱｏＳ制御を実現した状況について説明する。
【００６８】
図１３は、プロトコールスタックの視点から本発明のＱｏＳ制御状況を分析した。図においてＩＰＴＶサーバー、マルチキャストルーター、ＯＬＴ、ＯＮＵ、テレビ（ＴＶ）のプロトコールスタック構造を示している。ＩＰＴＶサーバーからテレビへのＱｏＳ転送を実現するために、ＩＰ層においてＱｏＳ制御を行う。ＩＰＴＶサーバーノードにおいて、マルチキャストルーターノードまで、さらに、テレビノードまで、いずれもＱｏＳ確保を提供することができるが、ＯＬＴノードとＯＮＵノードがプロトコールスタックにおいてＩＰ層プロトコールを含まないため、ＩＰ層のＱｏＳ制御に対応しない。つまり、データがＯＬＴノードとＯＮＵノードを通るときに、衝突が発生する場合には、データのＱｏＳを確保することができない。しかし、本発明は、ＩＰ層の情報（例えば、ＩＰ層ＱｏＳ）設定をＯＬＴノードとＯＮＵノードにマッピングすることにより、物理層プロトコールスタックにおいて光データに基づくＱｏＳ制御に対応することで、データのＯＬＴノードとＯＮＵノードにおけるＱｏＳを確保することができる。
【００６９】
上述したように、ＰＯＮシステムにおいて下りＩＰデータストリーム転送のサービス品質を制御するために、本発明は、ネットワーク層のサービス品質管理から物理層のサービス品質管理へのマッピングに基づく方法を採用した。言い換えれば、本発明は、ＩＰ層の情報（例えば、ＩＰ層ＱｏＳ）からＰＯＮシステムにおける物理層のＱｏＳ制御へのマッピングを実現することにより、ＰＯＮシステムにおいてＩＰパケットのＱｏＳ制御を行うことが可能になる。
【００７０】
以上、本発明の実施形態１〜４を詳しく説明したが、本発明はこれに限らず、当業者は具体的な状況によって変更を行うことができる。
【００７１】
例えば、本発明の実施形態１〜４についてはすべてＥＰＯＮを例に説明したが、本発明はもちろん、ＡＴＭに基づく受動光ネットワーク（ＡＰＯＮ）およびギガビット受動光ネットワーク（ＧＰＯＮ）など、その他の受動光ネットワーク（ＰＯＮ）に適用することができる。この場合、ＡＰＯＮシステムにおける仮想チャンネル識別子（ＶＰＩ）、およびＧＰＯＮシステムにおける仮想チャンネル識別子（ＶＰＩ）とポート番号（Ｐｏｒｔ  ＩＤ）は、本発明の実施形態１〜４で詳しく説明したＥＰＯＮシステムにおけるロジックリンク識別子（ＬＬＩＤ）に相当する。従って、ＥＰＯＮシステムにおけるデータのロジックリンク識別子（ＬＬＩＤ）、ＡＰＯＮシステムにおけるデータの仮想チャンネル識別子（ＶＰＩ）、およびＧＰＯＮシステムにおけるデータの仮想チャンネル識別子（ＶＰＩ）とポート番号（Ｐｏｒｔ  ＩＤ）をＬＩＮＫ  ＩＤと総称する。
【００７２】
「ＬＩＮＫ  ＩＤ」とは、ＯＮＵの唯一性または業務接続の唯一性を表す識別子であり、１つのＰＯＮシステムにおいて、異なるＯＮＵまたは異なる業務接続には異なるＬＩＮＫ  ＩＤがある。ＬＩＮＫ  ＩＤは、１点から多点の構造を有するＰＯＮシステムに適用され、下り方向のブロードキャスト方式の転送における特定のＯＮＵがその自身に属するデータしか受信しないことを確保する。
【図面の簡単な説明】
【００７３】
【図１】従来の技術においてＩＰパケットに対してＱｏＳを確保する転送を示した概略図である。
【図２】本発明の実施形態１のＰＯＮシステムの構成ブロック図である。
【図３】ＩＰパケットの受動光ネットワークにおけるイーサネット（登録商標）パケット組み立てを示した概略図である。
【図４】本発明の実施形態１の変形例におけるＴｏＳ値に基づいて行われたＱｏＳ制御のＩＰ層情報−ＬＬＩＤテーブルを示した図である。
【図５】本発明の実施形態１の変形例における送信先アドレスに基づいて行われたＱｏＳ制御のＩＰ層情報−ＬＬＩＤテーブルを示した図である。
【図６】本発明の実施形態１の変形例における送信先アドレスとＴｏＳ値に基づいて行われたＱｏＳ制御のＩＰ層情報−ＬＬＩＤテーブルを示した図である。
【図７】本発明の実施形態２のＰＯＮシステムにおけるＯＬＴの構成ブロック図である。
【図８】本発明の実施形態２におけるマルチキャストグループアドレス値に基づいて行われたＱｏＳ制御のＩＰ層情報−ＬＬＩＤテーブルを示した図である。
【図９】本発明の実施形態３のＰＯＮシステムにおけるＯＬＴの構成ブロック図である。
【図１０】本発明の実施形態３のマルチキャストグループアドレスとＴｏＳ値に基づいて行われたＱｏＳ制御のＩＰ層情報−ＬＬＩＤテーブルを示した図である。
【図１１】本発明の実施形態４の受動光ネットワークシステムにおけるＩＰパケットのサービス品質を制御する方法のフロー図である。
【図１２】本発明のシステム全体のメッセージフローである。
【図１３】プロトコールスタックの視点から本発明のＱｏＳ制御状況を分析した概略図である。
【図１】
2007274694.tif 000003
【図２】
2007274694.tif 000004
【図３】
2007274694.tif 000005
【図４】
2007274694.tif 000006
【図５】
2007274694.tif 000007
【図６】
2007274694.tif 000008
【図７】
2007274694.tif 000009
【図８】
2007274694.tif 000010
【図９】
2007274694.tif 000011
【図１０】
2007274694.tif 000012
【図１１】
2007274694.tif 000013
【図１２】
2007274694.tif 000014
【図１３】
2007274694.tif 000015